(57)【要約】【課題】本発明は、均一な輝度を有するバックライトモジュール及び該バックライトモジュールを有する表示装置を提供することを目的とする。【解決手段】本発明に係るバックライトモジュールは、複数の光源アセンブリと、光線を反射できる反射部品と、を備え、反射部品は、側板及び底板を備え、側板は、底板から底板と離れるように斜め上方に延伸し、光源アセンブリは、間隔を空けて底板の上方に設置され、側板には、第一区域及び第二区域が設置され、第一区域における入射光の強度は、第二区域における入射光の強度より強く、第一区域には、光線反射率を低減するための調節構造が設置される。【選択図】図１
2016195095.tif 000002
【特許請求の範囲】
【請求項１】
複数の光源アセンブリと、
光線を反射できる反射部品と、
を備えてなるバックライトモジュールであって、
前記反射部品は、側板及び底板を備え、前記側板は、前記底板から前記底板と離れるように斜め上方に延伸し、前記光源アセンブリは、間隔を空けて前記底板の上方に設置され、前記側板には、第一区域及び第二区域が設置され、前記第一区域における入射光の強度は、前記第二区域における入射光の強度より強く、前記第一区域には、光線反射率を低減する調節構造が設置されていることを特徴とするバックライトモジュール。
【請求項２】
前記調節構造は、対応する前記側板を貫通する貫通孔を備えることを特徴とする請求項１に記載のバックライトモジュール。
【請求項３】
前記貫通孔は、円形、楕円形、四角形、菱形、三角形又は他の不規則な形状を呈してもよいことを特徴とする請求項２に記載のバックライトモジュール。
【請求項４】
前記調節構造は、グレー層であって、前記グレー層の光線反射率は、前記側板の光線反射率より小さいことを特徴とする請求項１に記載のバックライトモジュール。
【請求項５】
前記グレー層は、粘着又は塗布により、前記第一区域に設置されていることを特徴とする請求項４に記載のバックライトモジュール。
【請求項６】
前記光源アセンブリは、複数列に配列され、前記調節構造は、対向する２つの前記側板にそれぞれ設置され、且つ各列の前記光源アセンブリの両端にそれぞれ位置することを特徴とする請求項１から５の何れか一項に記載のバックライトモジュール。
【請求項７】
光学アセンブリ及びバックボードを更に備え、前記光学アセンブリは、前記バックボードの上方に当接され、前記光学アセンブリと前記バックボードとの間には、前記反射部品及び複数の前記光源アセンブリを収容するライトボックスが形成されていることを特徴とする請求項１から６の何れか一項に記載のバックライトモジュール。
【請求項８】
バックライトモジュールと、
前記バックライトモジュール上に設置されている表示モジュールと、
を備えてなる表示装置であって、
前記バックライトモジュールは、前記表示モジュールに表示用バックライトを提供し、複数の光源アセンブリと、光線を反射できる反射部品と、を備え、前記反射部品は、側板及び底板を備え、前記側板は、前記底板から前記底板と離れるように斜め上方に延伸し、前記光源アセンブリは、間隔を空けて前記底板の上方に設置され、前記側板には、第一区域及び第二区域が設置され、前記第一区域における入射光の強度は、前記第二区域における入射光の強度より強く、前記第一区域には、光線反射率を低減するための調節構造が設置されていることを特徴とする表示装置。
【請求項９】
前記調節構造は、対応する側板を貫通する貫通孔を備えことを特徴とする請求項８に記載の表示装置。
【請求項１０】
前記調節構造は、グレー層であって、前記グレー層の光線反射率は、前記側板の光線反射率より小さいことを特徴とする請求項８に記載の表示装置。
【発明の詳細な説明】
【技術分野】
【０００１】
本発明は、バックライトモジュール及びバックライトモジュールを使用する表示装置に関するものである。
【背景技術】
【０００２】
表示装置に使用されるバックライトモジュール、例えば直下型バックライトモジュールは、光学アセンブリと、光源と、反射部品と、バックボードと、を備える。光源は、バックボードと光学アセンブリとの間に形成された密閉空間内に設置されている。反射部品は、バックボードの内側に設置され、光源から反射部品まで出射された光線を、光学アセンブリまで反射する。現在、電子製品の軽薄化に伴って、バックライトモジュールも薄くなっている。従来の直下型バックライトモジュールは、光源の数量を減らすことにより、バックライトモジュールを薄くする。この時、輝度を維持するために採用される光源は、より大きな発光角を有する。しかし、このようなバックライトモジュールの光学アセンブリは、光線を拡散する機能を有するにもかかわらず、輝度が不均一な区域を有する。このため、バックライトモジュールを軽薄にすると共に、輝度不均一現象を解決し、表示効果を向上させるのが現在の課題である。
【発明の概要】
【発明が解決しようとする課題】
【０００３】
本発明の目的は、前記問題を解決し、均一な輝度を有するバックライトモジュール及び表示装置を提供することである。
【課題を解決するための手段】
【０００４】
上記目的を達成するために、本発明に係るバックライトモジュールは、複数の光源アセンブリと、光線を反射できる反射部品と、を備え、反射部品は、側板及び底板を備え、側板は、底板から底板と離れるように斜め上方に延伸し、光源アセンブリは、間隔を空けて底板の上方に設置され、側板には、第一区域及び第二区域が設置され、第一区域における入射光の強度は、第二区域における入射光の強度より強く、第一区域には、光線反射率を低減するための調節構造が設置されている。
【０００５】
上記目的を達成するために、本発明に係る表示装置は、バックライトモジュールと、バックライトモジュール上に設置されている表示モジュールと、を備え、バックライトモジュールは、表示モジュールに表示用バックライトを提供し、複数の光源アセンブリと、光線を反射できる反射部品と、を備え、反射部品は、側板及び底板を備え、側板は、底板から底板と離れるように斜め上方に延伸し、光源アセンブリは、間隔を空けて底板の上方に設置され、側板には、第一区域及び第二区域が設置され、第一区域における入射光の強度は、第二区域における入射光の強度より強く、第一区域には、光線反射率を低減するための調節構造が設置されている。
【発明の効果】
【０００６】
本発明に係る表示装置及びバックライトモジュールは、入射光強度がより強い第一区域に調節構造を設置して、第一区域の光線反射率を低減することにより、第一区域及び入射光強度がより弱い第二区域の光線反射強度を等価にする。これにより、反射部品により反射され光線の輝度は均一化され、表示モジュールの表示効果を向上させる。
【図面の簡単な説明】
【０００７】
【図１】図１は本発明の第一実施形態に係る表示装置の断面図である。
【図２】図２は図１に示す表示装置の反射部品と光源アセンブリとの組立斜視図である。
【図３】図３は本発明の第二実施形態に係る表示装置の断面図である。
【図４】図４は図３に示す表示装置の反射部品と光源アセンブリとの組立斜視図である。
【図５】図５は図４に示す表示装置の反射部品と光源アセンブリとの組立斜視図におけるＶ部分の拡大図である。
【図６】図６は本発明の第三実施形態に係る表示装置の断面図である。
【図７】図７は図６に示す表示装置の反射部品と光源アセンブリとの組立斜視図である。
【発明を実施するための形態】
【０００８】
図１に示したように、本発明の第一実施形態に係る表示装置１０は、表示モジュール２００と、バックライトモジュール１００と、表示モジュール２００及びバックライトモジュール１００を固定するフレーム（図示せず）と、を備える。表示モジュール２００は、バックライトモジュール１００の上方に位置し、フレームは、表示モジュール２００及びバックライトモジュール１００の外部に固定されている。バックライトモジュール１００は、表示モジュール２００に表示用バックライトを提供する。
【０００９】
バックライトモジュール１００は、下から上へと順に設置されたバックボード１１０と、反射部品１２０と、複数の光源アセンブリ１３０と、光学アセンブリ１４０と、を備える。バックボード１１０と光学アセンブリ１４０との間には、反射部品１２０及び複数の光源アセンブリ１３０を収容するための密閉されたライトボックス１１３が形成されている。光源アセンブリ１３０から出射された光線は、光学アセンブリ１４０により、平面光に転化された後、表示モジュール２００に発射される。反射部品１２０は、自身に入射された一部の光線を反射して、光学アセンブリ１４０に入射される光線を増加させる。バックボード１１０は、金属製又はプラスチック製であってもよい。バックボード１１０の表面は、反射部品１２０の表面より粗い。光源アセンブリ１３０は、発光ダイオードバーであって、ＰＣＢ板（図示せず）に熔接された複数の発光ダイオード電球１３１を備える。
【００１０】
バックボード１１０は、底壁１１２及び底壁１１２の周縁から斜め上方に延伸し、且つ互いに首尾連接された四つの側壁１１１を備える。側壁１１１は、底壁１１２から離れるように延伸している。本実施形態において、底壁１１２と各側壁１１１との間の夾角は１２０度である。また、各側壁１１１の上端からは、四つの支持壁１１１１がライトボックス１１３から離れるように、且つ水平方向にそれぞれ延伸している。光学アセンブリ１４０は、支持壁１１１１の上面に当接される。光学アセンブリ１４０、側壁１１１及び側壁１１２の間には、ライトボックス１１３が設けられている。光学アセンブリ１４０は、拡散片１４１及び光レイヤーアセンブリ１４２を備える。拡散片１４１は、側壁１１１の上面に当接され、光源アセンブリ１３０から出射された光線を乱反射して、光線を均一に拡散する。光レイヤーアセンブリ１４２は、拡散片１４１上に設置され、表示モジュール２００は、光レイヤーアセンブリ１４２上に設置されている。光レイヤーアセンブリ１４２は、２つの輝度増加片（図示せず）を備える。他の実施形態において、光レイヤーアセンブリ１４２は、順に重なり合っている上部拡散片及び２つの輝度増加片を備えるが、光レイヤーアセンブリ１４２は、他の適切なアセンブリであってもよい。
【００１１】
図２に示したように、反射部品１２０は、互いに首尾連接された四つの側板及び該四つの側板の底端に連接されている底板１２３を備える。側板と底板１２３との間には、光学室１２４が設けられている。光源アセンブリ１３０は、光学室１２４内において間隔を空けて、底板１２３の上方に設置されている。反射部品１２０の側板は、対向する２つの第一側板１２１と、対向する２つの第二側板１２２と、を備える。他の実施形態において、反射部品１２０は、対向する２つの第一側板１２１及び該２つの第一側板１２１の底端の間にそれぞれ連接されている底板１２３のみによって構成され、又は対向する２つの第二側板１２２及び該２つの第二側板１２２の底端の間に連接されている底板１２３のみによって構成されてもよい。或いは、複数の光源アセンブリ１３０の設置方式に応じて、側板の数量を変えてもよい。反射部品１２０の構造は、バックボード１１０に対応しているので、反射部品１２０の側板と底板１２３との間の夾角は、側壁１１１と底壁１１２との間の夾角に等しい。即ち該夾角は、１２０度である。反射部品１２０の側板は、側壁１１１にそれぞれ当接され、底板１２３は底壁１１２に当接されている。即ち、光学室１２４は、ライトボックス１１３内に設けられている。
【００１２】
光源アセンブリ１３０の光線は、反射部品１２０の側板に出射される。側板において、光線が集中し、且つ入射光の強度がより強い区域は第一区域１２１１であって、第一区域１２１１以外の区域は第二区域１２１３である。本実施形態において、光源アセンブリ１３０は、光学室１２４内において二列に、且つ表示装置１０の長手方向に沿って配列されている。他の実施形態において、光源アセンブリ１３０は、複数列に配列される、又は幾何状に配列されてもよい。第一側板１２１は、光源アセンブリ１３０の列の両端にそれぞれ位置し、第二側板１２１は、光源アセンブリ１３０の列の配列方向に平行している。入射光の強度と光源の距離とは関係するため、本実施形態において、第一側板１２１上の第一区域１２１１は、光源アセンブリ１３０の列の両端にそれぞれ位置する。
【００１３】
第一区域１２１１内には、第一区域１２１１の光線反射率を低減させるために、複数の貫通孔１２１２が設けられている。これにより、第一区域１２１１は、第二区域１２１３に等価な光線反射強度を有するので、側板から、光学アセンブリ１４０まで反射された光線の輝度を均一化できる。貫通孔１２１２は、側板を貫通しており、バックボード１１０の一部を露出させている。当該複数の貫通孔１２１２により構成される調節構造は、第一側板１２１の第一区域１２１１及び第二側板１２２にも設けることが可能な第一区域１２１１にそれぞれ形成されている、或いは第一側板１２１の第一区域１２１１及び第二側板１２２にも設けることが可能な第一区域１２１１の内の何れか１つの区域のみに形成されてもよい。本実施形態において、調節構造は、第一側板１２１の第一区域１２１１にそれぞれ形成されている。貫通孔１２１２は、円形を呈するが、楕円形、四角形、菱形、三角形又は他の不規則な形状を呈してもよい。
【００１４】
入射光線強度の強い第一区域１２１１には、複数の貫通孔１２１２が設けられているため、一部のバックボード１１０が露出される。これにより、光源アセンブリ１３０から第一区域１２１１に向けて出射された光線は、貫通孔１２１２を貫通して、バックボード１１０に入射した後、拡散片１４１に向けて反射される。貫通孔１２１２は、第一区域１２１１の光線反射率を低減し、第一区域１２１１の平面光強度を低減できる。貫通孔１２１２の数量及びサイズは、光源アセンブリ１３０の数量及び配列方式に応じて変えることができる。これにより、第一区域１２１１の光線反射率を調整し、第一区域１２１１の光線反射強度を第二区域１２１３の光線反射強度とほぼ同じにできるため、反射部品１２０から反射される光線は、均一的な輝度を有し、表示モジュール２００の表示効果を向上できる。また、反射部品１２０において、貫通孔１２１２を設けることによって、反射部品１２０から出射された光線の均一度を調節できるので、バックライトモジュール１００を軽薄化させるために、光源の数量を減らしたり、大きい発光角を有する光源を採用しても、輝度の不均一現象は発生しない。即ち、バックライトモジュール１００を軽薄化すると共に、表示効果を維持できる。
【００１５】
図３に示したのは、本発明の第二実施形態に係る表示装置２０の断面図である。表示装置２０は、表示モジュール２０２と、バックライトモジュール２０９と、表示モジュール２０２及びバックライトモジュール２０９を固定するフレーム（図示せず）と、を備える。表示モジュール２０２は、バックライトモジュール２０９の上方に位置し、フレームは、表示モジュール２０２及びバックライトモジュール２０９の外部に固定されている。バックライトモジュール２０９は、表示モジュール２０２に、表示用バックライトを提供する。
【００１６】
バックライトモジュール２０９は、下から上の順に設置されたバックボード２１０と、反射部品２２０と、複数の光源アセンブリ２３０と、光学アセンブリ２４０と、を備える。バックボード２１０と光学アセンブリ２４０との間には、反射部品２２０及び複数の光源アセンブリ２３０を収容するための、密閉されたライトボックス２１３が形成されている。光源アセンブリ２３０から出射された光線は、光学アセンブリ２４０により、平面光に転化された後、表示モジュール２０２に発射される。反射部品２２０は、自身に入射された一部の光線を反射して、光学アセンブリ２４０に入射される光線を増加する。バックボード２１０は、金属製又はプラスチック製であってもよい。バックボード２１０の表面は、反射部品２２０の表面より粗い。光源アセンブリ２３０は、発光ダイオードバーであって、ＰＣＢ板（図示せず）に熔接されている複数の発光ダイオード電球２３１を備える。
【００１７】
バックボード２１０は、底壁２１２及び底壁２１２の周縁から斜め上方に延伸し、且つ互いに首尾連接された側壁２１１を備える。該側壁２１１は、底壁２１２から離れるようにそれぞれ延伸している。本実施形態において、底壁２１２と各側壁２１１との間の夾角は１２０度である。また、各側壁２１１の上端からは、四つの支持壁２１１１がライトボックス２１３から離れるように水平方向にそれぞれ延伸している。光学アセンブリ２４０は、支持壁２１１１の上面に当接する。光学アセンブリ２４０、側壁２１１及び側壁２１２の間には、ライトボックス２１３が設けられている。光学アセンブリ２４０は、拡散片２４１及び光レイヤーアセンブリ２４２を備える。拡散片２４１は、側壁２１１の上面に当接され、光源アセンブリ２３０から出射された光線を乱反射して、光線を均一に拡散する。光レイヤーアセンブリ２４２は、拡散片２４１上に設置され、表示モジュール２０２は、光レイヤーアセンブリ２４２上に設置されている。光レイヤーアセンブリ２４２は、２つの輝度増加片（図示せず）を備える。他の実施形態において、光レイヤーアセンブリ２４２は、順に重なりあう上部拡散片及び２つの輝度増加片を備えるが、光レイヤーアセンブリ１４２は、他の適切なアセンブリであってもよい。
【００１８】
図４に示したように、反射部品２２０は、互いに首尾連接された四つの側板及び該四つの側板の底端に連接された底板２２３を備える。側板と底板２２３との間には、光学室２２４が設けられている。光源アセンブリ２３０は、光学室２２４内において間隔を空けて、光学室２２４内における底板２２３の上方に設置されている。反射部品２２０の側板は、対向する２つの第一側板２２１と、対向する２つの第二側板２２２と、を備える。他の実施形態において、反射部品２２０は、対向する２つの第一側板２２１及び該２つの第一側板２２１の底端の間に連接されている底板２２３のみによって構成される、又は、対向する２つの第二側板１２２８及び該２つの第二側板１２２８の底端の間に連接されている底板２２３のみによって構成されてもよい。或いは、複数の光源アセンブリ２３０の設置方式に応じて、側板の数量を変えてもよい。反射部品２２０の構造は、バックボード２１０と対応するので、反射部品２２０の側板と底板２２３との間の夾角は、側壁２１１と底壁２１２との間の夾角に等しい。即ち１２０度である。反射部品２２０の側板は、側壁２１１にそれぞれ当接され、底板２２３は底壁２１２に当接される。即ち、光学室２２４は、ライトボックス２１３内に設けられている。
【００１９】
光源アセンブリ２３０の光線は、反射部品２２０の側板に出射される。側板において、光線が集中し、且つ入射光の強度がより強い区域は、第一区域２２１１であり、第一区域２２１１以外の区域は、第二区域２２１３である。本実施形態において、光源アセンブリ２３０は、光学室１２４内において、二列に配列されている。他の実施形態において、光源アセンブリ２３０は、複数列に配列される、又は幾何状に設置されてもよい。第一側板２２１は、光源アセンブリ２３０の列の両端にそれぞれ位置し、第二側板２２１は、光源アセンブリ２３０の列の配列方向に平行している。入射光の強度と光源の距離とは関係するため、本実施形態において、第一側板２２１上の第一区域２２１１は、光源アセンブリ２３０の列の両端にそれぞれ位置する。
【００２０】
第一区域２２１１内には、第一区域２２１１の光線反射率を低減するために、複数の開口模様２２１２が設けられている。これにより、第一区域２２１１は、第二区域２２１３に等価な光線反射強度を有するので、側板から、光学アセンブリ２４０まで反射された光線の輝度を均一化できる。開口模様２２１２は、対応する側板を貫通した複数の微孔を備え、該複数の微孔は、バックボード１１０の一部を露出させる。複数の開口模様２２１２により構成される調節構造は、第一側板２２１の第一区域２２１１及び第二側板１２２８の第一区域２２１１にそれぞれ形成される、或いは、第一側板２２１の第一区域２２１１及び第二側板１２２８の第一区域２２１１の内の１つ区域のみに形成されてもよい。本実施形態において、調節構造は、第一側板２２１の第一区域２２１１にそれぞれ形成さていれる。開口模様２２１２は、円形を呈するが、楕円形、四角形、菱形、三角形又は他の不規則な形状を呈してもよい。
【００２１】
入射光線強度の強い第一区域２２１１には、複数の開口模様２２１２が設けられ、一部のバックボード２１０が露出される。これにより、光源アセンブリ２３０から第一区域２２１１に向けて出射された光線は、開口模様２２１２を貫通して、バックボード２１０に入射された後、拡散片２４１に向けて反射される。開口模様２２１２は、第一区域２２１１の光線反射率を低減し、第一区域２２１１の平面光強度を低減できる。開口模様２２１２の数量及びサイズは、光源アセンブリ２３０の数量及び配列方式に応じて変えることができる。これにより、第一区域２２１１の光線反射率を調整し、第一区域２２１１の光線反射強度を第二区域２２１３の光線反射強度に等価にする。これにより、反射部品２２０から反射された光線は、均一的な輝度を有し、表示モジュール２０２の表示効果を向上できる。反射部品２２０に開口模様２２１２を設けることにより、反射部品２２０から出射された光線の均一度を調節できるので、バックライトモジュール２０９の軽薄化において、光源の数量を減らしたり、大きい発光角を有する光源を採用しても、輝度の不均一現象は発生しない。即ち、バックライトモジュール２０９を軽薄化できると同時に表示効果も維持できる。
【００２２】
図６に示したのは、本発明の第三実施形態に係る表示装置３０の断面図である。表示装置３０は、表示モジュール２０３と、バックライトモジュール３００と、表示モジュール２０３及びバックライトモジュール３００を固定するフレーム（図示せず）と、を備える。表示モジュール２０３は、バックライトモジュール３００の上方に位置し、フレームは、表示モジュール２０３及びバックライトモジュール３００の外部に固定されている。バックライトモジュール３００は、表示モジュール２０３に、表示用バックライトを提供する。
【００２３】
バックライトモジュール３００は、下から上の順に設置されたバックボード３１０と、反射部品３２０と、複数の光源アセンブリ３３０と、光学アセンブリ３４０と、を備える。バックボード３１０と光学アセンブリ３４０とは共同で、反射部品３２０及び複数の光源アセンブリ３３０を収容するための、密閉されたライトボックス３１３を形成している。光源アセンブリ３３０から出射された光線は、光学アセンブリ３４０により、平面光に転化された後、表示モジュール２０３に発射される。反射部品３２０は、自身に入射された一部の光線を反射し、光学アセンブリ３４０に入射された光線を増加する。バックボード３１０は、金属製又はプラスチック製であってもよい。バックボード３１０の表面は、反射部品３２０の表面より粗い。光源アセンブリ３３０は、発光ダイオードバーであって、ＰＣＢ板（図示せず）に熔接された複数の発光ダイオード電球３３１を備える。
【００２４】
バックボード３１０は、底壁３１２及び該底壁３１２の周縁から斜め上方に延伸し、且つ互いに首尾連接された四つの側壁３１１を備える。該側壁３１１は、底壁３１２から離れるようにそれぞれ延伸している。本実施形態において、底壁３１２と各側壁３１１との間の夾角は１２０度である。また、各側壁３１１の上端からは、四つの支持壁３１１１がライトボックス３１３から離れるように水平方向にそれぞれ延伸している。光学アセンブリ３４０は、支持壁３１１１の上面に当接されている。光学アセンブリ３４０、側壁３１１及び側壁３１２の間には、ライトボックス３１３が設けられている。光学アセンブリ３４０は、拡散片３４１及び光レイヤーアセンブリ３４２を備える。拡散片３４１は、側壁３１１の上面に当接され、光源アセンブリ３３０から出射された光線を乱反射して、光線を均一に拡散する。光レイヤーアセンブリ３４２は、拡散片３４１上に設置されており、表示モジュール２０３は、光レイヤーアセンブリ３４２上に設置されている。光レイヤーアセンブリ３４２は、２つの輝度増加片（図示せず）を備える。他の実施形態において、光レイヤーアセンブリ３４２は、順に重なりあう上部拡散片及び２つの輝度増加片を備えるが、他の適切なアセンブリであってもよい。
【００２５】
図７に示したように、反射部品３２０は、互いに首尾連接された四つの側板及び該側板の底端に連接されている底板３２３を備える。側板と底板３２３との間には、光学室３２４が設けられている。光源アセンブリ３３０は、光学室３２４内において間隔を空けて底板３２３の上方に設置されている。反射部品３２０の側板は、対向する２つの第一側板３２１と、対向する２つの第二側板３２２と、を備える。他の実施形態において、反射部品３２０は、対向する２つの第一側板３２１及び該２つの第一側板３２１の底端の間に連接されている底板３２３のみで構成される、又は対向する２つの第二側板３２２及び該２つの第二側板３２２の底端の間に連接されている底板３２３のみにより構成されてもよい。或いは、複数の光源アセンブリ３３０の設置方式に応じて、側板の数量を変えてもよい。反射部品３２０の構造は、バックボード３１０に対応するので、反射部品３２０の側板と底板３２３との間の夾角は、側壁３１１と底壁３１２との間の夾角に等しい。即ち、１２０度である。反射部品３２０の側板は、側壁３１１にそれぞれ当接され、底板３２３は、底壁３１２に当接されている。即ち、光学室３２４は、ライトボックス３１３内に設けられている。
【００２６】
光源アセンブリ３３０の光線は、反射部品３２０の側板に出射される。側板において、光線が集中し、且つ入射光の強度がより強い区域は、第一区域３２１１であって、第一区域３２１１以外の区域は、第二区域３２１３である。本実施形態において、光源アセンブリ３３０は、光学室１２４内において二列に、且つ表示装置３０の長手方向に沿って配列されている。他の実施形態において、光源アセンブリ３３０は、複数列に配列されている、又は幾何状に設置されてもよい。第一側板３２１は、光源アセンブリ３３０の列の両端にそれぞれ位置し、第二側板３２２は、光源アセンブリ３３０の配列方向に平行する。入射光の強度と光源の距離とは関係するので、本実施形態において、第一側板３２１上の第一区域３２１１は、光源アセンブリ３３０の列の両端にそれぞれ位置する。
【００２７】
第一区域３２１１内には、第一区域３２１１の光線反射率を低減するために、グレー層３２１２が設けられている。これにより、第一区域３２１１は、第二区域３２１３に等価な光線反射強度を有するので、側板から、光学アセンブリ３４０まで反射された光線の輝度を均一化できる。グレー層３２１２の光線反射率は、反射部品３２０の光線反射率より低い。グレー層３２１２により構成される調節構造は、第一側板３２１の第一区域３２１１及び第二側板３２２にも設けることが可能な第一区域３２１１にそれぞれ設置される、或いは、第一側板３２１の第一区域３２１１及び第二側板３２２にも設けることが可能な第一区域３２１１の内の何れか１つの区域のみに設置されてもよい。本実施形態において、調節構造は、第一側板３２１の第一区域３２１１にそれぞれ設置されている。グレー層３２１２は、第一区域３２１１に粘着させる又は塗布してもよい。本実施形態において、グレー層３２１２は、フィルムである。
【００２８】
入射光線強度の強い第一区域３２１１には、光線反射率が低いグレー層３２１２が設置されており、対応する第一区域３２１１の光線反射率を低減する。グレー層３２１２の位置及びサイズは、光源アセンブリ３３０の数量及び配列方式に応じて変えることができるため、第一区域３２１１の光線反射率を調整し、第一区域３２１１の光線反射強度を第二区域３２１３の光線反射強度に等価にする。これにより、反射部品３２０から反射された光線は、均一な輝度を有し、表示モジュール２０３の表示効果を向上できる。反射部品３２０にグレー層３２１２を設置することにより、反射部品３２０から出射された光線の均一度を調節できるので、バックライトモジュール３００の軽薄化において、光源の数量を減らしても、大きい発光角を有する光源を採用しても、輝度の不均一現象は発生しない。即ち、バックライトモジュール３００を軽薄化できると同時に表示効果も維持できる。
【符号の説明】
【００２９】
１０、２０、３０  表示装置
１００、２０９、３００  バックライトモジュール
１１０、２１０、３１０  バックボード
１１１、２１１、３１１  側壁
１１１１、２１１１、３１１１  支持壁
１１２、２１２、３１２  底壁
１１３、２１３、３１３  ライトボックス
１２０、２２０、３２０  反射部品
１２１、２２１、３２１  第一側板
１２２、２２２、３２２  第二側板
１２１１、２２１１、３２１１  第一区域
１２１２  貫通孔
２２１２  開口模様
３２１２  グレー層
１２１３、２２１３、３２１３  第二区域
１２３、２２３、３２３  底板
１２４、２２４、３２４  光学室
１３０、２３０、３３０  光源アセンブリ
１３１、２３１、３３１  発光ダイオード電球
１４０、２４０、３４０  光学アセンブリ
１４１、２４１、３４１  拡散片
１４２、２４２、３４２  光レイヤーアセンブリ
２００、２０２、２０３  表示モジュール
【図１】
2016195095.tif 000003
【図２】
2016195095.tif 000004
【図３】
2016195095.tif 000005
【図４】
2016195095.tif 000006
【図５】
2016195095.tif 000007
【図６】
2016195095.tif 000008
【図７】
2016195095.tif 000009